(57)【要約】      （修正有）【課題】構設時比較的容易に定位し、大幅に組立時間及び工順を節約し、より一層小型化ができる可動磁石トランスデューサを提供する。【解決手段】框体１１と、框体内に収納され、且つフープ状を呈すると共に軸方向に沿って中央貫通孔１２１を貫設するコイル１２と、框体内に固設され、コイル上方に位置するダンバー１３と、円柱状を呈し、一端がダンバーに固設され、他端が中央貫通孔まで延伸され、またコイルと接触しない永久磁石１４と、框体内に固設され、永久磁石までに固装される中央振動板部を備える振動板１５と、を含む。大部分の構成部材は、円柱、或いは、フープ状を呈するため、構設時比較的容易に定位し、組立時間及び工順を節約できる。更に、サイズが違う円の直径設計を通じて、各構成部材を外から中心軸に向かって一層ずつ設置させるため、より一層小型化ができる。【選択図】図２
0003186398.tif 000002
【実用新案登録請求の範囲】
【請求項１】
框体と、
前記框体内に収納され、且つ、フープ状を呈すると共に軸方向に沿って中央貫通孔を貫設するコイルと、
前記框体内に固設され、前記コイル上方に位置するダンバーと、
円柱状を呈し、一端が前記ダンバーに固設され、他端が前記中央貫通孔まで延伸するが、前記コイルと接触しない永久磁石と、
前記框体内に固設され、前記永久磁石までに固装される中央振動板部を備える振動板と、を含むことを特徴とする、
可動磁石トランスデューサ。
【請求項２】
前記ダンバーは、軸管を含み、前記永久磁石の一端が前記軸管の中に固設されることを特徴とする請求項１に記載の可動磁石トランスデューサ。
【請求項３】
前記ダンバーは、外環と、前記外環、及び、前記軸管と各々連結する複数のラジアル連結部材とを更に含むことを特徴とする請求項２に記載の可動磁石トランスデューサ。
【請求項４】
前記軸管と前記外環と前記ラジアル連結部材は、一体式構造であることを特徴とする請求項３に記載の可動磁石トランスデューサ。
【請求項５】
回路基板を更に含み、前記框体が前記回路基板に設けられ、且つ、前記コイルが前記回路基板と電気的に接続することを特徴とする請求項１に記載の可動磁石トランスデューサ。
【請求項６】
前記回路基板に２つのスルーホールが貫設され、前記コイルの両電線が前記スルーホールを各々通った後、前記回路基板に溶接されることを特徴とする請求項５に記載の可動磁石トランスデューサ。
【請求項７】
前記框体に複数の固定部材１１２が凸設され、前記回路基板１６上の各前記固定部材に対応する箇所に固定用穴が貫設されることを特徴とする請求項５に記載の可動磁石トランスデューサ。
【請求項８】
前記框体と前記回路基板とを覆い、且つ、少なくとも１個のサウンドホールを備えるケースを更に含むことを特徴とする請求項５〜７のいずれか一項に記載の可動磁石トランスデューサ。
【請求項９】
前記ケースの内部は、前記振動板の外周面に対応設置する押さえリングを備えることを特徴とする請求項８に記載の可動磁石トランスデューサ。
【請求項１０】
前記振動板の外周面に固設されると共に前記框体に構設される止め輪を更に含むことを特徴とする請求項１に記載の可動磁石トランスデューサ。
【請求項１１】
前記框体と前記コイルと前記永久磁石は、同じ軸に構設されることを特徴とする請求項１に記載の可動磁石トランスデューサ。
【考案の詳細な説明】
【技術分野】
【０００１】
可動磁石トランスデューサに関し、特に、イヤフォン内に使用する超小型可動磁石トランスデューサに関する。
【背景技術】
【０００２】
図１に示すように、従来の可動コイルイヤフォンＡは、イヤフォン筐体Ａ１０内に信号線Ａ１、振動板Ａ２、永久磁石Ａ３、ボイスコイルＡ４、透磁率部材Ａ５とヨークＡ６が設けられる。そのボイスコイルＡ４が振動板Ａ２に構設されて永久磁石Ａ３の外周縁を取り囲むが、透磁率部材Ａ５とラジアルすきまを保つ。永久磁石Ａ３が透磁率部材Ａ５とヨークＡ６の間に挟設される。
【０００３】
信号線Ａ１がボイスコイルＡ４に電気的に接続され、可聴周波数の信号が信号線Ａ１を通じてボイスコイルＡ４に入力された時、ボイスコイルＡ４は電磁効果で磁場を発生し、該磁場が更に透磁率部材Ａ５と磁力の相互作用を発生することによって、振動板Ａ２を振動させることで可聴周波数の信号を可聴周波数の音波に変換して出力する。
【０００４】
可聴周波数の信号を可聴周波数の音波に変換するには、回路基板（図示略）が音源信号を可聴周波数の信号から電流信号に変換してボイスコイルＡ４に入力されるため、ボイスコイルＡ４が回路基板と電気的に接続しなければならない。
次に、ボイスコイルＡ４が透磁率部材Ａ５との相互作用を通じて、ボイスコイルＡ４と連結する振動板Ａ２を振動させることで、可聴周波数の音波を出力する。よって、ボイスコイルＡ４も振動板Ａ２に構設しなければならない。
また上記構造は、振動板Ａ２に構設されたボイスコイルＡ４を更にイヤフォン筐体Ａ１０内部に設けられた回路基板に電気的に接続する場合、構設の難易度が増えてしまう。更に、ボイスコイルＡ４が長時間振動した後、ボイスコイルＡ４と回路基板間の回路が切断或いは脱落してしまう場合もある。
【考案の概要】
【考案が解決しようとする課題】
【０００５】
そこで、本考案は上記のような従来技術の問題点に鑑みて、構設時比較的容易に定位し、大幅に組立時間及び工順を節約し、より一層小型化させることができる可動磁石トランスデューサを提供することを目的とする。
【課題を解決するための手段】
【０００６】
本考案は、可動磁石トランスデューサであって、框体と、框体内に収納され、且つフープ状を呈すると共に軸方向に沿って中央貫通孔を貫設するコイルと、框体内に固設され、コイル上方に位置するダンバーと、円柱状を呈し、一端がダンバーに固設され、他端が中央貫通孔まで延伸するが、コイルと接触しない永久磁石と、框体内に固設され、永久磁石までに固装される中央振動板部を備える振動板と、を含む。
【０００７】
上記構造によれば、コイルが通電して磁場の変化が発生した時、コイル内にある永久磁石がコイルの磁場に対応して変位を生じると共に振動板を振動させることで、音源信号を音声出力に変換する。
永久磁石により振動変位を発生し、コイルが框体内に固設されるため、コイルと回路基板等の構造との電気的な接続でも切断或いは脱落し難くなる。更に、全体的な構造が円周から軸中心線に向かって一層ずつ設置され、且つ全ての構成部材が中心軸に沿って積層することで、組立加工がより一層簡単になることで生産製造の時間を節減し、また可動磁石トランスデューサを更に小型化させることができる。
【０００８】
以下、実施形態において本考案の特徴及び利点を詳細に記述する。その内容は当業者に本考案の技術内容を理解してもらうと共にこれに基づいて実施させることができ、且つ本明細書に開示されている内容、実用新案登録請求の範囲及び図面に基づき、当業者が容易に本考案の関連の目的及び利点を理解できる。
【図面の簡単な説明】
【０００９】
【図１】従来の可動コイルイヤフォン断面図である。
【図２】本考案に係る第１の実施例の可動磁石トランスデューサ分解図である。
【図３】本考案に係る第１の実施例の可動磁石トランスデューサ断面図である。
【図４】本考案に係る第１の実施例のイヤフォン断面図である。
【図５】本考案に係る第２の実施例のダンバー立体図である。
【考案を実施するための形態】
【００１０】
図２及び図３は、本考案に係る第１の実施例を示したものである。図２は可動磁石トランスデューサ分解図、図３が断面図である。本実施例の可動磁石トランスデューサ１０は、框体１１、コイル１２、ダンバー１３、永久磁石１４、振動板１５、回路基板１６、ケース１７、止め輪１８と、を含む。
【００１１】
コイル１２は、フープ状を呈し、軸方向に沿って中央貫通孔１２１を貫設し、且つ回路基板１６に設置されると共に回路基板１６と電気的に接続する。図２及び図３に示すように、回路基板１６に２つのスルーホール１６２が貫設され、コイル１２を巻き付ける電線１２２の両端がスルーホール１６２を各々通った後、回路基板１６のコイル１２がある側に対向する他側の表面に溶接されて、両溶接点１６３を形成する。
その他の態様において、コイル１２が接続しようとする回路をコイル１２がある回路基板１６の表面にレイアウトすることができる。このように、回路基板１６にスルーホール１６１を別途貫設する必要がなく、コイル１２の両電線１２２を回路基板１６に直接溶接する。
【００１２】
框体１１がコイル１２を嵌設すると共に回路基板１６に設けられる。本実施例において、框体１１は中空円筒状で、コイル１２と同じ軸に構設されるが、本考案はこれに限定されない。また框体１１の構造を補強するため、框体１１の内側表面において、ラジアル方向に沿って複数の補強リブ１１１を設ける。框体１１はコイル１２を嵌設することで、コイル１２が框体１１内に収容させることができるが、框体１１と接触しない。
【００１３】
本実施例において、框体１１は係止方法で回路基板１６に設けられる。これは、框体１１に複数の固定部材１１２が凸設され、回路基板１６上の各固定部材１１２に対応する箇所に固定用穴１６１が貫設されることを利用する。
図３に示すように、本実施例の框体１１に２つの固定部材１１２が凸設され、回路基板１６に２つの固定用穴１６１を対応して貫設する。框体１１の固定部材１１２は回路基板１６の固定用穴１６１内に各々対応して係止することで、框体１１を回路基板１６上に固設する。その他の態様において、框体１１を接着方法で回路基板１６上に直接設けることもできる。
【００１４】
図３に示すようにダンバー１３は框体１１内に固設され、コイル１２の上方に位置する。永久磁石１４が円柱状を呈し、且つ一端がダンバー１３に固設され、他端が中央貫通孔１２１まで延伸するが、コイル１２と接触しない。
次に、図２を参照しながら説明する。ダンバー１３は、軸管１３１と外環１３２と複数のラジアル連結部材１３３とを含む。本実施例において、４つのラジアル連結部材１３３とする。それらラジアル連結部材１３３は、外環１３２と軸管１３１と各々連結し、また軸管１３１の軸中心線を外環１３２の軸中心線に位置させる。
且つ本実施例において、軸管１３１、外環１３２と４つのラジアル連結部材１３３は、一体式構造で、金属プレス成形により、必要なダンバーのタイプを形成する。その他には、４つのラジアル連結部材１３３を十字形に配列する。
【００１５】
框体１１内の補強リブ１１１の上方にリング状支持部１１４が設けられ、ダンバー１３の外環１３２がリング状支持部１１４上に固設される。本実施例においてはＵＶ接着剤でダンバー１３をリング状支持部１１４上に接着しているが、本考案はこれに限定しない。
【００１６】
永久磁石１４の一端がＵＶ接着剤でダンバー１３の軸管１３１内に固設され、永久磁石１４の軸中心線と軸管１３１の軸中心線を合わせて同じ軸に構設させる。このような配置は、框体１１、コイル１２及び永久磁石１４が外側から中心軸Ｃへ一層ずつ設置するよう形成させ、且つ全ての構成部材が中心軸Ｃに沿って積層し、組立加工がより一層簡単となることで生産製造時間を節減させることができる。
この他に、ダンバー１３をフープ状として設けることで、より一層ダンバー１３を所望位置に構設しやすく、また永久磁石１４の軸中心線を中心軸Ｃに位置させることができる。且つ図３に示すように、回路基板１６の永久磁石１４に対応する箇所に貫通孔１６４を貫設し、永久磁石１４の往復振動時に回路基板１６に接触させないようにできる。
【００１７】
振動板１５は、框体１１内に固設され、また永久磁石１４に固装される中央振動板部１５１を含む。本実施例において、止め輪１８が振動板１５の外周面に固設され、また框体１１に構設される。止め輪１８はＵＶ接着剤で振動板１５の外周面に固設でき、またその他の接着方法で止め輪１８を振動板１５の外周面に固設することもできるが、本考案はこれに限定されない。
同様に、中央振動板部１５１もＵＶ接着剤で永久磁石１４に固定させることができる。図２に示すように、框体１１上部に位置決めリング１１３を凸設し、また図３からも分かるように、止め輪１８の内径と位置決めリング１１３の外径のサイズは同一である。このように、止め輪１８を框体１１上に構設する時、容易に所望位置に設けることができる。
【００１８】
図２及び図３に示すように、ケース１７は框体１１と回路基板１６とを覆い、且つケース１７に少なくとも１個のサウンドホール１７１を備える。振動板１５の振動で発生した音声はサウンドホール１７１を経由してケース１７の外部まで伝わる。本実施例において、ケース１７に６個のサウンドホール１７１があり、また放射相称に配列されているが、本考案はこれに限定されない。
【００１９】
図３に示すように全ての構成部材が順序通り框体１１内に構設されてからケース１７が框体１１全体と回路基板１６の外側を嵌設し、また圧延（ｃｕｒｖｉｎｇ）方法で仕上げ、框体１１及び回路基板１６がケース１７の中に覆われる。
この他に、ケース１７内部に押さえリング１７２を備え、ケース１７が框体１１に嵌設された時、押さえリング１７２が振動板１５の外周面に押えて覆うことができる。押さえリング１７２及び止め輪１８により振動板１５を上下に挟設し、振動板１５を所望位置に固定させることで、長時間振動による脱落を避けることができる。
【００２０】
図４を参照しながら説明する。図４は本実施例の可動磁石トランスデューサ１０をイヤフォン２０に応用した断面図を示している。可動磁石トランスデューサ１０がイヤフォン２０の筐体２１内部に設けられてから信号線２２が回路基板１６と電気的に接続する。
可聴周波数の信号が信号線２２を通じて回路基板１６に入力された時、回路基板１６が電気信号をコイル１２に送信する。コイル１２は、電磁効果により磁場を発生し、コイル１２の中央貫通孔１２１内にある永久磁石１４が磁場と磁力の相互作用を発生する。ダンバー１３の位置固定のもとで、永久磁石１４が中心軸Ｃに沿って往復振動すると共に振動板１５を振動させることで、可聴周波数の信号を可聴周波数の音波に変換して出力する。
【００２１】
本考案の可動磁石トランスデューサ１０の大部分の構成部材は、円柱或いはフープ状を呈するため、構設時、比較的容易に定位できる。更に、サイズが違う円の直径設計を通じて、各構成部材を外から中心軸に向かって一層ずつ設置させることで、可動磁石トランスデューサ１０をより一層小型化させることができる。コイル１２が回路基板１６に固定され、永久磁石１４の振動により、振動板１５を振動させて発音することで、コイル１２と回路基板１６間の電気的な接続の切断も避けることができる。
【００２２】
図５は、本考案に係る第２の実施例のダンバーを示した図である。本実施例の第１の実施例と同じところは、ここで記述を省略する。異なるところはダンバー３３のタイプである。
図５に示すように、ダンバー３３は、軸管３３１、外環３３２、複数のラジアル連結部材３３３とを含む。本実施例においても４つのラジアル連結部材３３３とする。４つのラジアル連結部材３３３は、外環３３２と軸管３３１に各々連結し、また軸管３３１の軸中心線を外環３３２の軸中心線に位置させる。
【００２３】
本実施例において４つのラジアル連結部材３３３は、放射状に配列され、隣接する２つのラジアル連結部材３３３が互いに直交する。且つ各ラジアル連結部材３３３が軸管３３１の一端に連結し、別のラジアル連結部材３３３の中心部に大まかに対応設置される。ダンバー上のラジアル連結部材の配置方法は、永久磁石１４に異なる減衰を提供できことで、発音の周波数に影響を与える。利用者は、ニーズによって異なるダンバーを選択できる。
【００２４】
本考案の技術的内容を、好ましい実施例で上記の通り開示したが、そのような実施例により本考案の保護範囲が限定されるべきものではなく、当業者が本考案の精神から離れることなく為した種々の変更及び改変は、当然本考案の範囲に含まれる。
よって本考案の保護範囲は、本明細書に添付する実用新案登録請求の範囲で定義しているものを基準とする。
【符号の説明】
【００２５】
１０            可動磁石トランスデューサ
１１            框体
１１１          補強リブ
１１２          固定部材
１１３          位置決めリング
１１４          リング状支持部
１２            コイル
１２１          中央貫通孔
１２２          電線
１３、３３      ダンバー
１３１、３３１  軸管
１３２、３３２  外環
１３３、３３３  ラジアル連結部材
１４            永久磁石
１５            振動板
１５１          中央振動板部
１６            回路基板
１６１          固定用穴
１６２          スルーホール
１６３          溶接点
１６４          貫通孔
１７            ケース
１７１          サウンドホール
１７２          押さえリング
１８            止め輪
２０            イヤフォン
２１            筐体
２２            信号線
Ａ              可動コイルイヤフォン
Ａ１            信号線
Ａ２            振動板
Ａ３            永久磁石
Ａ４            ボイスコイル
Ａ５            透磁率部材
Ａ６            ヨーク
Ａ１０          イヤフォン筐体
Ｃ              中心軸
【図１】
0003186398.tif 000003
【図２】
0003186398.tif 000004
【図３】
0003186398.tif 000005
【図４】
0003186398.tif 000006
【図５】
0003186398.tif 000007